(57)【特許請求の範囲】
【請求項１】
座の両側に設けられた一対の前脚部と、
前記一対の前脚部よりも広く開脚する一対の後脚部と、
前記一対の後脚部の間に架設される梁部と、
座面及び前記梁部よりも上方で、且つ、前記一対の後脚部よりも前側に設置された溝部と、を有し、
スタッキング収納するときに、同一構成の他の椅子の梁部を前記溝部で支持することを特徴とする椅子。
【請求項２】
前記溝部よりも前側に設けられ、前方から後方に向かうに従って下方に傾斜して前記梁部を前記溝部に案内する傾斜面を有することを特徴とする請求項１に記載の椅子。
【請求項３】
前記一対の後脚部は、末広がりで開脚しており、
前記溝部より下方で、前記一対の後脚部の少なくとも両側に突出して設けられた凸部を有することを特徴とする請求項１または２に記載の椅子。
【請求項４】
前記凸部より下方で、且つ、前記凸部に対して、前記梁部と前記溝部との間の距離をあけた位置において、前記一対の後脚部の少なくとも後側を覆う保護部材を有することを特徴とする請求項３に記載の椅子。
【請求項５】
前記一対の前脚部は、前記座を跳ね上げ回動自在に支持していることを特徴とする請求項１〜４のいずれか一項に記載の椅子。
【発明の詳細な説明】
【技術分野】
【０００１】
本発明は、椅子に関し、特に上下方向に重ねるスタッキング収納が可能な椅子に関するものである。
【背景技術】
【０００２】
下記特許文献１には、上下方向に重ねるスタッキング収納及び前後方向に入れ子状態とするネスティング収納が可能な椅子が開示されている。特許文献１に記載の椅子は、座の両側に設けられた一対の前脚部と、該一対の前脚部よりも狭く開脚する一対の後脚部とを備えている。そして、スタッキング収納する際には、一対の後脚部を持ち上げて、座を跨がせ、後側の背凭れ部の下方の空間に挿入する構成となっている（特許文献１の図５参照）。
【先行技術文献】
【特許文献】
【０００３】
【特許文献１】特開２００５−２７９０３２号公報
【発明の概要】
【発明が解決しようとする課題】
【０００４】
しかしながら、上記従来技術においては、一対の後脚部を座面よりも高く持ち上げなければならないため、スタッキング収納作業に負担がかかる。
【０００５】
本発明は、上記問題点に鑑みてなされたものであり、スタッキング収納作業を容易に行うことのできる椅子の提供を目的とする。
【課題を解決するための手段】
【０００６】
上記の課題を解決するために、本発明は、座の両側に設けられた一対の前脚部と、上記一対の前脚部よりも広く開脚する一対の後脚部と、上記一対の後脚部の間に架設される梁部と、座面及び上記梁部よりも上方で、且つ、上記一対の後脚部よりも前側で上記梁部を支持する溝部と、を有する椅子を採用する。
この構成を採用することによって、本発明は、座の両側に設けられた一対の前脚部に対して広く開脚した一対の後脚部を備えているので、座の両側を跨いで一対の後脚部を前側から進入させることができる。当該前側には座面より上方に溝部が設けられており、一対の後脚部の間に架設された梁部を支持させることで上下方向に重ねるスタッキング収納が可能となる。このように、スタッキング収納の際には、梁部を溝部が設けられた位置まで持ち上げればよくなるため、作業性の向上を図ることができる。また同時に、梁部を設けることにより、椅子の強度補強が可能となる。
【０００７】
また、本発明においては、上記溝部よりも前側に設けられ、前方から後方に向かうに従って下方に傾斜して上記梁部を上記溝部に案内する傾斜面を有するという構成を採用する。
この構成を採用することによって、本発明は、前方から後方に向かうに従って下方に傾斜する傾斜面を設けることで、梁部を溝部に誘い込ませ易くすることができるため、スタッキング収納の作業性の向上を図ることができる。
【０００８】
また、本発明においては、上記一対の後脚部は、末広がりで開脚しており、上記溝部より下方で、上記一対の後脚部の少なくとも両側に突出して設けられた凸部を有するという構成を採用する。
この構成を採用することによって、本発明では、一対の後脚部が末広がりで開脚している場合、上下方向において、上側に重なった椅子の一対の後脚部は、下側に重なった椅子の一対の後脚部よりも広く開脚することとなるため、一対の後脚部の少なくとも両側に凸部を設けて、溝部に支持された梁部を中心とするモーメント荷重を受けさせることで、上側に重なった椅子の姿勢を安定させることができる。
【０００９】
また、本発明においては、上記凸部より下方で、且つ、上記凸部に対して、上記梁部と上記溝部との間の距離をあけた位置において、上記一対の後脚部の少なくとも後側を覆う保護部材を有するという構成を採用する。
この構成を採用することによって、本発明では、梁部を溝部が設けられた位置まで持ち上げてスタッキング収納を行うため、凸部に対して、梁部と溝部との間の距離をあけた位置が、凸部との接触位置となる。この位置において、保護部材を設け、凸部と接触する一対の後脚部の後側を保護する。
【００１０】
また、本発明においては、上記一対の前脚部は、上記座を跳ね上げ回動自在に支持しているという構成を採用する。
この構成を採用することによって、本発明は、前後方向に入れ子状態とするネスティング収納と、上下方向に重ねるスタッキング収納の両立が可能となる。このため、簡易的なネスティング収納と、より収納効率が高いスッタッキング収納を状況に合わせて選択することが可能となる。
【発明の効果】
【００１１】
本発明によれば、スタッキング収納の作業を容易に行うことができる。
【図面の簡単な説明】
【００１２】
【図１】本発明の実施形態における椅子の右側面図である。
【図２】本発明の実施形態における椅子の正面図である。
【図３】本発明の実施形態における椅子の平面図である。
【図４】本発明の実施形態における椅子を下側から視た斜視図である。
【図５】本発明の実施形態におけるスタックフックの斜視図である。
【図６】本発明の実施形態におけるスタックフックの底面図である。
【図７】図６における矢視Ａ−Ａ断面図である。
【図８】本発明の実施形態におけるスタックフックが設けられる前脚部と後脚部との連結部を示す右側面図である。
【図９】本発明の実施形態における連結部の平面図である。
【図１０】本発明の実施形態におけるスタッキング収納を説明するための図である。
【図１１】本発明の実施形態におけるスタッキング収納を説明するための図である。
【図１２】本発明の実施形態におけるスタッキング収納を説明するための図である。
【図１３】本発明の実施形態におけるスタッキング収納を説明するための図である。
【図１４】本発明の実施形態におけるネスティング収納を説明するための図である。
【図１５】本発明の実施形態におけるネスティング収納を説明するための図である。
【発明を実施するための形態】
【００１３】
以下、本発明の実施形態について図面を参照して説明する。
【００１４】
図１は、本発明の実施形態における椅子１の右側面図である。図２は、本発明の実施形態における椅子１の正面図である。図３は、本発明の実施形態における椅子１の平面図である。図４は、本発明の実施形態における椅子１を下側から視た斜視図である。
図中、符号２は座を、符号３は一対の前脚部を、符号４は一対の後脚部を、符号５は背凭れ部をそれぞれ示している。
【００１５】
座２は、図４に示すように、金属パイプが略矩形枠状となった座枠６と、座枠６に固定された座シェル７とを有する。座シェル７には、クッション部材８が敷設されている。
座２の両側には、一対の前脚部３が設けられている。一対の前脚部３は、金属パイプから形成され、座２を跳ね上げ回動自在に支持している。
【００１６】
一対の前脚部３は、図１及び図４に示すように、座２の後側を幅方向に延びる軸周りに回転自在に支持する軸受部９と、軸受部９よりも前側において架設され、座２の座面２ａを水平姿勢に支持する前脚ビーム１０とを有する。
【００１７】
軸受部９には、座枠６に設けられた螺子部材６ａ（図４参照）が挿入される構成となっている。軸受部９は、螺子部材６ａを回転自在に支持し、座２の後側を幅方向に延びる軸周りに回転自在とさせる構成となっている。
前脚ビーム１０は、図２に示すように、一対の前脚部３の間に架設されており、座枠６の座ビーム１１を受けるプラスチック材の座受け１２を両側に有する構成となっている。
【００１８】
図１に示すように、一対の前脚部３及び一対の後脚部４の下端の接地部には、キャスター１３が取り付けられている。一対の前脚部３と一対の後脚部４とは、座面２ａよりも上方で略「入」字状に交差して連結されている。なお、一対の後脚部４も、金属パイプから形成されている。
【００１９】
図２及び図３に示すように、一対の前脚部３は、略平行で一定幅に開脚している。一対の後脚部４は、一対の前脚部３よりも広く開脚している。本実施形態の一対の後脚部４は、上方から下方に向かうに従って略「ハ」字状に末広がりで開脚している。
【００２０】
一対の後脚部４の間には、後脚ビーム（梁部）１４が架設されている（図４参照）。後脚ビーム１４は、後側に突出する略アーチ形状を有する。本実施形態の後脚ビーム１４は、座面２ａに対応する高さに設けられている（図１参照）。
背凭れ部５よりも前側には、スタックフック１５が設けられている。スタックフック１５は、座面２ａ及び後脚ビーム１４よりも上方で、且つ、一対の後脚部４よりも前側で後脚ビーム１４を支持する溝部１６を有する。
【００２１】
図５は、本発明の実施形態におけるスタックフック１５の斜視図である。図６は、本発明の実施形態におけるスタックフック１５の底面図である。図７は、図６における矢視Ａ−Ａ断面図である。図８は、本発明の実施形態におけるスタックフック１５が設けられる前脚部３と後脚部４との連結部１８を示す右側面図である。図９は、本発明の実施形態における連結部１８の平面図である。
【００２２】
溝部１６は、図５に示すように、後脚ビーム１４の外形に対応した形状（略「Ｕ」字形状）を有して、後脚ビーム１４の下部を支持する構成となっている。
溝部１６よりも前側には、傾斜面１７が設けられている。傾斜面１７は、前方から後方に向かうに従って下方に傾斜して、後脚ビーム１４を溝部１６に案内する構成となっている。
【００２３】
溝部１６と後脚ビーム１４とは、図１に示すような位置関係を有する。具体的に、溝部１６と後脚ビーム１４との間の距離は、少なくとも座２の厚み（本実施形態では座面２ａから前脚ビーム１０の下端までの距離）より大きくなるように設定されている。
【００２４】
スタックフック１５は、前脚部３と後脚部４との連結部１８に設けられている。連結部１８は、後脚部４の金属パイプが嵌入する孔部１９（図９参照）を有している。連結部１８は、孔部１９の前側に、スタックフック１５を取り付ける取付部２０を有する。
取付部２０は、図８に示すように、上方に向かうに従って先細りテーパー形状となる略円柱形状を有する。取付部２０の外周の前後には、上下方向に延びる溝２１が形成されている（図９参照）。また、取付部２０の頂部には、雌螺子孔２２が形成されている。
【００２５】
スタックフック１５は、プラスチック材から形成されている。スタックフック１５の内部は、図７に示すように中空となっており、金属製の取付部２０を覆うようにして取り付けられる。スタックフック１５は、雌螺子孔２２に螺入可能な不図示の螺子部材を配置する段付き孔２３と、雌螺子孔２２と段付き孔２３とを位置合わせるリブ２４とを有する。
【００２６】
リブ２４は、上下方向に延在し、取付部２０の溝２１に沿って挿入可能な構成となっている。また、リブ２４は、図６に示すように、下方に向かうに従って先細り形状となっており、溝２１への挿入を容易にさせる構成となっている。
また、リブ２４は、図７に示すように、傾斜面１７の裏側まで延在しており、スタックフック１５の強度を補強する構成となっている。
【００２７】
図１に戻り、溝部１６より下方には、凸部２５が設けられている。凸部２５は、一対の後脚部４の両側に凸設されている（図２及び図３参照）。凸部２５は、連結部１８と一体で形成されている。
凸部２５より下方には、プラスチック材の保護部材２６が設けられている。保護部材２６は、凸部２５に対して、溝部１６と後脚ビーム１４との間の距離をあけた位置において、一対の後脚部４の少なくとも後側を覆う構成となっている（図１及び図４参照）。
【００２８】
続いて、図１０〜図１５を参照して、椅子１を上下方向に重ねるスタッキング収納及び椅子１を前後方向に入れ子状態とするネスティング収納について説明する。
図１０〜図１３は、本発明の実施形態におけるスタッキング収納を説明するための図である。図１４及び図１５は、本発明の実施形態におけるネスティング収納を説明するための図である。
【００２９】
スタッキング収納をする場合、作業者は、椅子１を持ち上げて一対の後脚部４を、下側の椅子１の座２の両側を跨いで前側から進入させる。
椅子１は、下側の椅子１の座２の両側に設けられた一対の前脚部３に対して、広く開脚した一対の後脚部４を備えているので、座２の両側を跨いで前側から一対の後脚部４を進入させることができる。
【００３０】
一対の後脚部４が進入した先には、下側の椅子１の背凭れ部５の前側にスタックフック１５が設けられている。スタックフック１５には、傾斜面１７が設けられている。傾斜面１７は、前方から後方に向かうに従って下方に傾斜し、一対の後脚部４の間に架設された後脚ビーム１４を溝部１６へと案内する。当該溝部１６は、座面２ａよりも上方に設けられており、一対の後脚部４の間に架設された後脚ビーム１４を支持させることで上下方向に重ねるスタッキング収納が可能となる（図１０参照）。
【００３１】
このように、スタッキング収納の際には、後脚ビーム１４を溝部１６が設けられた位置まで持ち上げればよくなるため、作業性の向上を図ることができる。本実施形態の溝部１６と後脚ビーム１４との間の距離は、座２の厚み（本実施形態では座面２ａから前脚ビーム１０の下端までの距離）程度となっているため、従来よりも持ち上げ量を大幅に少なくすることができる。また、溝部１６と後脚ビーム１４との間の距離を、座２の厚みより大きく設定することで、上側に重なった椅子１の前脚ビーム１０と、下側に重なった椅子１の座面２ａとの接触を回避できるため、スタッキング収納によってクッション部材８に凹み跡を付けずに済む。
【００３２】
上側に重なった椅子１には、溝部１６に支持された後脚ビーム１４を中心とするモーメント荷重が作用する。本実施形態のように、一対の後脚部４が末広がりで開脚している場合、上下方向において、上側に重なった椅子１の一対の後脚部４は、下側に重なった椅子１の一対の後脚部４よりも広く開脚することとなるため、図１１に示すように、一対の後脚部４の両側に凸部２５を凸設させ、溝部１６に支持された後脚ビーム１４を中心とするモーメント荷重を受けさせる。
【００３３】
このようにすることで、上側に重なった椅子１の姿勢を安定させることができる。また、一対の後脚部４の下端に設けられたキャスター１３の接触を回避させることができる。また、凸部２５との接触位置には、保護部材２６が設けられており、凸部２５と接触する一対の後脚部４の後側を保護することができ、傷や接触時の音を低減できる。
【００３４】
以上のような作業を繰り返すことで、図１２及び図１３に示すように、多数の椅子１をスタッキング収納することができる。上述したように、椅子１の持ち上げ量が少ないため、収納効率が高いスッタッキング収納が可能となる。
【００３５】
一方、ネスティング収納をする場合、作業者は、図１４に示すように、座２を跳ね上げ回動させる。そして、椅子１をキャスター１３によって水平移動させ、図１５に示すように、後側の椅子１の座２の両側を跨いで前側から進入させる。
椅子１は、後側の椅子１の座２の両側に設けられた一対の前脚部３に対して、広く開脚した一対の後脚部４を備えているので、座２の両側を跨いで前側から一対の後脚部４を進入させることができる。
【００３６】
以上のような作業を繰り返すことで、簡易的なネスティング収納が可能となる。
本実施形態では、前後方向に入れ子状態とするネスティング収納と、上下方向に重ねるスタッキング収納の両立が可能となる。このため、簡易的なネスティング収納と、より収納効率が高いスッタッキング収納を状況に合わせて選択することが可能となる。
【００３７】
以上のように、上述した本実施形態によれば、座２の両側に設けられた一対の前脚部３と、一対の前脚部３よりも広く開脚する一対の後脚部４と、一対の後脚部４の間に架設される後脚ビーム１４と、座面２ａ及び後脚ビーム１４よりも上方で、且つ、一対の後脚部４よりも前側で後脚ビーム１４を支持する溝部１６と、を有する椅子１を採用することによって、椅子１が座２の両側に設けられた一対の前脚部３に対して広く開脚した一対の後脚部４を備えているので、座２の両側を跨いで一対の後脚部４を前側から進入させることができる。そして、当該前側には座面２ａより上方に溝部１６が設けられており、一対の後脚部４の間に架設された後脚ビーム１４を支持させることで上下方向に重ねるスタッキング収納が可能となる。このように、スタッキング収納の際には、後脚ビーム１４を溝部１６が設けられた位置まで持ち上げればよくなるため、作業性の向上を図ることができる。また同時に、後脚ビーム１４を設けることにより、椅子１の強度補強が可能となる。
したがって、本実施形態によれば、スタッキング収納の作業を容易に行うことができる。
【００３８】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３９】
例えば、上記実施形態では、スタッキング収納とネスティング収納を両立できる椅子について説明したが、スタッキング収納のみができる椅子にも本発明を適用することができる。
【００４０】
また、例えば、上記実施形態では、下側の椅子の座面に、上側の椅子の前脚ビームを接触させない形態について説明したが、クッション部材を用いない椅子等であれば、接触させても良い。
【００４１】
また、例えば、上記実施形態では、凸部を金属材にした形態について説明したが、凸部をプラスチック材にしても良い。この場合は、保護部材を設けなくても良い。
【００４２】
また、例えば、上記実施形態では、一対の後脚部の両側にのみ凸部を凸設させた形態について説明したが、一対の後脚部の少なくとも両側に突出していれば同様の作用効果を発揮できるので、例えば、凸部をリング形状にしてもよい。
【符号の説明】
【００４３】
１…椅子、２…座、２ａ…座面、３…一対の前脚部、４…一対の後脚部、１４…後脚ビーム（梁部）、１５…スタックフック、１６…溝部、１７…傾斜面、２５…凸部、２６…保護部材
【図１】
0005677799.tif 000002
【図２】
0005677799.tif 000003
【図３】
0005677799.tif 000004
【図４】
0005677799.tif 000005
【図５】
0005677799.tif 000006
【図６】
0005677799.tif 000007
【図７】
0005677799.tif 000008
【図８】
0005677799.tif 000009
【図９】
0005677799.tif 000010
【図１０】
0005677799.tif 000011
【図１１】
0005677799.tif 000012
【図１２】
0005677799.tif 000013
【図１３】
0005677799.tif 000014
【図１４】
0005677799.tif 000015
【図１５】
0005677799.tif 000016